(57)【要約】【課題】  病変組織の微弱な蛍光を判別できるよう照明ムラの生じない励起光を生体組織に照射できる装置を提供する。【解決手段】  自家蛍光電子内視鏡装置は、観察面照射のための励起光を発する複数の励起光発振器、励起光発振器から発せられる光を集める集光部、励起光発振器のそれぞれの光強度を測定する複数のセンサ、センサのそれぞれの測定結果から複数の励起光発振器が発する光強度を均一になるように制御する複数の励起光の強度制御部を有する第１光源部を備える。観察面照射のための白色光を発する第２光源部、光源を第１、第２光源部のいずれかに切り替える光源切り替え部、第１光源部の照射による自家蛍光画像及び第２光源部の照射によるカラー画像を一時記録する画像一時記録部、自家蛍光画像、カラー画像の少なくとも一方を表示するモニタを備える。【選択図】        図３
2005168828.tif 000002
【特許請求の範囲】
【請求項１】
観察面を照射するための励起光を発する複数の励起光発振器と、前記複数の励起光発振器から発せられる光を集める集光部と、前記複数の励起光発振器のそれぞれの光強度を測定する複数のセンサと、前記複数のセンサのそれぞれの測定結果に基づき前記複数の励起光発振器が発する光強度を均一になるように制御する複数の励起光の強度制御部とを有する第１光源部を備える自家蛍光電子内視鏡装置。
【請求項２】
前記観察面を照射するための白色光を発する第２光源部と、前記観察面を照射する光の光源を前記第１、第２光源部のいずれかに切り替える光源切り替え部と、前記光源切り替え部により切り替えられた前記第１光源部からの励起光の照射により得られた自家蛍光画像及び前記光源切り替え部により切り替えられた前記第２光源からの白色光の照射により得られたカラー画像とを一時記録する画像一時記録部と、前記自家蛍光画像、前記カラー画像のうち少なくとも一方を表示するモニタとをさらに備えた請求項１に記載の自家蛍光電子内視鏡装置。
【請求項３】
前記集光部は、前記複数の励起光発振器から発せられた励起光を導光する複数の励起光ライトガイドと、前記励起光ライトガイドを介して励起光を集光するロッドレンズとを有することを特徴とする請求項１に記載の自家蛍光電子内視鏡装置。
【請求項４】
前記光源切り替え部は、ロータリシャッタで前記第２光源部からの白色光を遮断することを特徴とする請求項２に記載の自家蛍光電子内視鏡装置。
【請求項５】
前記自家蛍光画像、前記カラー画像をそれぞれ単独及び同時に前記モニタに表示させる表示制御部を更に備えた請求項２に記載の自家蛍光電子内視鏡装置。
【請求項６】
前記自家蛍光画像を単独で表示する場合には所定の第１最大強度レベルの光強度で励起光を前記複数の励起光発振器から発光させ、前記自家蛍光画像、前記カラー画像を同時に表示する場合には前記第１最大強度レベルと前記第１最大強度レベルよりも高い第２最大強度レベルの値の間であって、所定の安全規格の範囲内となるよう定められた光強度で励起光を前記複数の励起光発振器から発光させることを特徴とする請求項５に記載の自家蛍光電子内視鏡装置。
【請求項７】
前記所定の第１最大強度レベルは、前記励起光発振器のそれぞれの定格出力であることを特徴とする請求項６に記載の自家蛍光電子内視鏡装置。
【請求項８】
請求項２に記載の自家蛍光電子内視鏡装置が備える電子スコープは、前記反射光、及び前記自家蛍光は透過させ、前記観察面で反射されたあるいは散乱された励起光はカットする励起光カットフィルタを、前記反射光、及び前記自家蛍光を集光する対物レンズと受光する撮像素子の間に有することを特徴とする。
【発明の詳細な説明】
【技術分野】
【０００１】
本発明は、自家蛍光電子内視鏡装置に関し、特に、励起光の発光強度調整装置に関する。
【背景技術】
【０００２】
体腔内の観察や検査を行う電子内視鏡装置において、被写体像、すなわち体腔内患部の生体組織の自家蛍光特性を利用した自家蛍光電子内視鏡装置が実用化され、癌や腫瘍等の異常部位の早期発見や、その範囲を特定したり疾患状態を診断することに役立っている。
【０００３】
通常、生体組織に所定の励起光を照射すると、正常組織からは強い蛍光が発せられ、病変組織からは微弱な蛍光が発せられるので、蛍光強度を測定することにより、生体組織が正常であるか病変状態であるかを判定することができる。
【０００４】
特許文献１は、複数のＬＤ（レーザーダイオード）素子を備えて生体組織の自家蛍光画像を識別するのに充分な励起光強度を得る装置を開示する。
【特許文献１】特開２００２−９５６２４号公報
【発明の開示】
【発明が解決しようとする課題】
【０００５】
しかし、この装置は、複数のＬＤモジュールのそれぞれが発した励起光は光ファイバにより導光され集光レンズで集光されるが、それぞれが発した光強度のバランスは取られていない。励起光ライトガイドを介して導光された光は照明レンズで或る程度は均一化されるが、完全ではない。また、励起光の照射により生体組織から発せられる蛍光強度は微弱なものであるため、生体組織に照射された励起光に照明ムラがあると、病変組織であるための微弱な蛍光なのか励起光の強度が弱いための微弱な蛍光なのかの判別が困難になる。
【０００６】
したがって本発明の目的は、病変組織の微弱な蛍光を判別できるよう照明ムラの生じない励起光を生体組織に照射できる装置を提供することである。
【課題を解決するための手段】
【０００７】
本発明に係る自家蛍光電子内視鏡装置は、観察面を照射するための励起光を発する複数の励起光発振器と、複数の励起光発振器から発せられる光を集める集光部と、複数の励起光発振器のそれぞれの光強度を測定する複数のセンサと、複数のセンサのそれぞれの測定結果に基づき複数の励起光発振器が発する光強度を均一になるように制御する複数の励起光の強度制御部とを有する第１光源部を備える。これにより、複数の励起光発振器から発光される励起光の強度を均一化して集光部における照明ムラを生じにくくすることが可能になる。
【０００８】
好ましくは、観察面を照射するための白色光を発する第２光源部と、観察面を照射する光の光源を第１、第２光源部のいずれかに切り替える光源切り替え部と、光源切り替え部により切り替えられた第１光源部からの励起光の照射により得られた自家蛍光画像及び光源切り替え部により切り替えられた第２光源部からの白色光の照射により得られたカラー画像とを一時記録する画像一時記録部と、自家蛍光画像、カラー画像のうち少なくとも一方を表示するモニタとをさらに備える。これにより、白色光の照射により観察面からの反射光のカラー画像と、励起光の照射による観察面からの自家蛍光画像とを切り替えて撮像することが可能になる。
【０００９】
また、好ましくは、集光部は、複数の励起光発振器から発せられた励起光を導光する複数の励起光ライトガイドと、励起光ライトガイドを介して励起光を集光するロッドレンズとを有する。
【００１０】
また、さらに好ましくは、光源切り替え部は、ロータリシャッタで第２光源部からの白色光を遮断する。これにより、オンオフの切り替えが瞬時に行えないランプなどを使った光源で白色光を照射させることが可能になる。
【００１１】
また、好ましくは、自家蛍光画像、カラー画像をそれぞれ単独及び同時にモニタに表示させる表示制御部を更に備える。これにより、自家蛍光画像、カラー画像を１画面上で同時に表示させることが可能になる。
【００１２】
さらに好ましくは、自家蛍光画像を単独で表示する場合には所定の第１最大強度レベルの光強度で励起光を複数の励起光発振器から発光させ、自家蛍光画像、カラー画像を並列で表示する場合には第１最大強度レベルと第１最大強度レベルよりも高い第２最大強度レベルの値の間であって、所定の安全規格の範囲内となるよう定められた光強度で励起光を複数の励起光発振器から発光させる。これにより、励起光発振器の寿命を短くすることなく、励起光だけを照射させる場合に比べて、強い発光強度で励起光を照射することが可能になる。
【００１３】
さらに好ましくは、所定の第１最大強度レベルは、励起光発振器のそれぞれの定格出力である。
【００１４】
また、好ましくは、自家蛍光電子内視鏡装置が備える電子スコープは、反射光、及び自家蛍光は透過させ、観察面で反射されたあるいは散乱された励起光はカットする励起光カットフィルタを、反射光、及び自家蛍光を集光する対物レンズと受光する撮像素子の間に有する。これにより、励起光を除去した状態で自家蛍光画像だけを撮像素子を通じて観察することが可能になる。
【発明の効果】
【００１５】
以上のように本発明によれば、病変組織の微弱な蛍光を判別できるよう照明ムラの生じない励起光を生体組織に照射できる装置を提供することができる。
【発明を実施するための最良の形態】
【００１６】
以下、本発明の実施形態について、図１〜６を参照して説明する。図１は、自家蛍光電子内視鏡装置の構成図を示す。本実施形態に係る自家蛍光電子内視鏡装置は、電子スコープ１０と、プロセッサ２０と、モニタ４０とを備える。電子スコープ１０は、プロセッサ２０の制御により、被写体を撮像する。撮像により得られた電気信号はプロセッサ２０によってモニタ４０で出力が可能な画像信号（ビデオ信号）に変換される。変換されたビデオ信号はアナログ信号でモニタ４０に伝達される。伝達されたビデオ信号は、モニタ４０によって出力（画面表示）される。使用者は、モニタ４０による出力結果により、電子スコープで撮像された被写体映像を観察することができる。
【００１７】
電子スコープ１０は、撮像部１１と、照明部１２と、コネクタ部１４とを有し、照明部１２が被写体に適度な光量を与えながら撮像部１１が被写体を撮像する。
【００１８】
撮像部１１は、対物レンズ１１ａ、励起光カットフィルタ１１ｂ、ＣＣＤなどの撮像素子１１ｃとを有する。撮像素子１１ｃの駆動は、後述する制御回路２４、タイミング部２２が出力するクロックパルスに従って行われる。被写体の撮像によって撮像素子１１ｃに蓄積された電荷は、電気信号としてＲとＧとＢに色分離されて、映像信号処理部２１に転送される。
【００１９】
照明部１２は、励起光を発し、光誘導部材１２ｂ、配光レンズ１２ａを介して、生体組織に照射する第１光源部２６、及び白色光を発し、光誘導部材１２ｂ、配光レンズ１２ａを介して生体組織に照射する第２光源部２７からの光を供給する。電子スコープ１０と、プロセッサ２０は、コネクタ部１４で接続される。
【００２０】
プロセッサ２０は、映像信号処理部２１、タイミング部２２、制御回路２４、第１、第２光源部２６、２７、光源切り替えユニット部３０、及びコントロールパネル３１を有しており、電子スコープ１０で撮像し電荷転送された電気信号を、モニタ４０で出力できるビデオ信号に変換する。
【００２１】
モニタ４０は、ビデオ信号を取り込んで表示することが可能な市販のモニタであり、電子スコープ１０で撮像され、プロセッサ２０で変換されたビデオ信号を、出力（画面表示）する。
【００２２】
図２を参照して映像信号処理部２１の画像信号処理に関する構成を詳細に説明する。映像信号処理部２１は、スコープ１０からＲ、Ｇ、Ｂごとに送られてきた電気信号を前段信号処理部２１ａで増幅し、第１、第２画像メモリ部２１ｂ、２１ｃに順次記録する。第１画像メモリ部２１ｂは、第１光源部２６から供給された励起光による自家蛍光画像の電気信号をＲ、Ｇ、Ｂごとに分けて記録する。第２画像メモリ部２１ｃは、第２光源部２７から供給された白色光によるカラー画像をＲ、Ｇ、Ｂごとに分けて記録する。第１、第２画像メモリ部２１ｂ、２１ｃに記録された電気信号は、スキャンコンバータ２１ｄでスキャンコンバートされ、後段映像信号処理部２１ｅに転送される。
【００２３】
スキャンコンバータ２１ｄは、白色光と励起光を交互に生体組織に照射して２つの画面をモニタ４０の画面に映し出す２画面モードの場合に、第１画像メモリ部２１ｂに記録された励起光による自家蛍光画像と、第２画像メモリ部２１ｃに記録された白色光によるカラー画像とを一つの画面上に並べて配置されるようにスキャンコンバートする。スキャンコンバータ２１ｄは、励起光のみまたは白色光のみを生体組織に照射して対応した１つだけの画像をモニタ４０の画面に映し出す１画面モードの場合は、対応した一方の電気信号のみを通過させる。
【００２４】
なお、１画面モード、２画面モードの切り替えは、使用者によるコントロールパネル３１（図１参照）上のスイッチ操作によって行われる。後段映像信号処理部２１ｅは、転送された電気信号を、Ｖｉｄｅｏコンポジット信号、Ｙ／Ｃ分離信号などのビデオ信号に変換してモニタ４０などに出力する。従って、第１、第２画像メモリ部２１ｂ、２１ｃは画像一時記録機能を有する。
【００２５】
制御回路２４は、図示しないＣＰＵとＲＡＭとを有し、内視鏡装置各部の制御や信号の一時記録を行う。
【００２６】
タイミング部２２は、制御回路２４の制御により、各部にクロックパルスや同期信号などを出力し、処理タイミングを調整する。
【００２７】
第１光源部２６の構成は図３を参照して説明する。第１光源部２６は、レーザーユニット２６ａの中に、励起光を発する第１〜第３レーザーダイオード２６１ａ〜２６１ｃ、励起光の発光強度を検出する第１〜第３センサ２６２ａ〜２６３ｃ、レーザーダイオードを駆動する第１〜第３ドライバ２６３ａ〜２６３ｃ、第１〜第３加算器２６４ａ〜２６４ｃ、及び第１〜第３励起光ライトガイド２６５ａ〜２６５ｃとを有する。
【００２８】
第１レーザーダイオード２６１ａは、制御回路２４からの信号を第１加算器２６４ａ、第１ドライバ２６３ａを介して受けて励起光を発光する。発光された励起光は光ファイバなどの第１励起光ライトガイド２６５ａを介してロッドレンズ２６０に集められる。第２、第３レーザーダイオード２６１ｂ、２６１ｃも同様に励起光を発し、ロッドレンズ２６０に集光される。第１センサ２６２ａは、第１レーザーダイオード２６１ａの発光時の発光強度を検出する。第１加算器２６４ａは、第１センサ２６２ａによって検出された発光強度が、制御回路２４から指示された所定の発光強度と一致するか否かを判別し一致していない場合は第１ドライバ２６３ａに送る電気信号の強弱によって第１レーザーダイオード２６１ａの発光時の発光強度を調整する。
【００２９】
制御回路２４から指示される所定の発光強度は、使用者が所望する輝度値から算出される。制御回路２４への指示は、撮像素子１１ｃで得られた自家蛍光による電気信号が映像信号処理部２１にて処理された明るさの信号に基づいて行われる。つまり、蛍光の明るさに応じて自動的に調光する構成となっている。第２、第３レーザーダイオード２６１ｂ、２６１ｃについても同様に第２、第３センサ２６２ｂ、２６２ｃ及び第２、第３加算器２６４ｂ、２６４ｃで発光時の発光強度が調整される。これにより、第１〜第３レーザーダイオード２６１ａ〜２６１ｃの発光強度が均一化させることが可能である。発光強度が均一化された励起光はロッドレンズ２６０に集光され、照明ムラの少ない状態で、励起光集光レンズ２６ｄ、ハーフミラー２８を介して集光レンズ２９で集光され、集光された励起光は光ファイバなどの光誘導部材１２ｂによって照明部１２の先端の配向レンズ１２ａまで転送され、被写体である生体組織に照射される。
【００３０】
従って、第１〜第３レーザーダイオード２６１ａ〜２６１ｃ、及び第１〜第３ドライバ２６３ａ〜２６３ｃは励起光発振機能を有し、第１〜第３加算器２６４ａ〜２６４ｃは励起光の強度制御機能を有し、ロッドレンズ２６０、及び第１〜第３励起光ライトガイド２６５ａ〜２６５ｃは集光機能を有する。
【００３１】
第１〜第３レーザーダイオード２６１ａ〜２６１ｃの最大発光強度は、白色光と励起光が交互に照射される２画面モードの場合と、励起光だけが照射される励起光の１画面モードの場合とで異なる。励起光の１画面モードの場合は、連続的にオン状態で発光されるので、最大発光強度は第１〜第３レーザーダイオード２６１ａ〜２６１ｃの定格出力と一致させる。２画面モードの場合は、白色光の照射の際に第１〜第３レーザーダイオード２６１ａ〜２６１ｃがオフ状態で消灯されるので、励起光発光時の最大発光強度は第１〜第３レーザーダイオード２６１ａ〜２６１ｃの定格出力の２倍まで引き上げることが理論上可能となる。但し、第１〜第３レーザーダイオード２６１ａ〜２６１ｃのそれぞれの発光強度の合計すなわち励起光の光強度が生体組織を傷つけることのない安全規格の範囲内となるよう調整される。
【００３２】
第２光源部２６は、ランプ電源部２７ａ、ランプ部２７ｂとを有し、光源切り替えユニット部３０、ハーフミラー２８、集光レンズ２９、及び照明部１２を介して被写体に白色光を供給する。ランプ電源部２７ａから供給された電力によってランプ部２７ｂは白色光を発し、その光束はハーフミラー２８を介して集光レンズ２９で集光され、集光された白色光は、光誘導部材１２ｂによって照明部１２の先端の配向レンズ１２ａまで導光され、被写体である生体組織に照射される。
【００３３】
光源切り替えユニット部３０は、白色光による反射光のカラー画像と励起光による自家蛍光画像とを交互に撮像する２画面モードの場合に、第１、第２光源部からの光の切り替えを行う。光源切り替えユニット部３０は、ランプ部２７ｂの白色光の光束を透過させたり遮断させたりするロータリシャッタ３０ｃ、ロータリシャッタ３０ｃを回動させる第１モータ３０ａ、ロータリシャッタ３０ｃをランプ部２７ｂの白色光の光束上に移動または光束外に退避させる第２モータ３０ｂとを有する。励起光と白色光とを交互に照射させる２画面モードでは、第２モータ３０ｂを駆動して、ロータリシャッタ３０ｃがランプ部２７ｂの光束上にあるように移動せしめられ一定間隔で白色光の光束の透過と遮断が交互に行われる（図１の状態）。白色光だけを照射させる１画面モードでは、第２モータ３０ｂによってロータリシャッタ３０ｃが退避され、ロータリシャッタ３０ｃが白色光の光束と交わらず、光を遮断しない。
【００３４】
ロータリシャッタ３０ｃの構成は図４を参照して説明する。ロータリシャッタ３０ｃは、中心軸３０ｄを共通にして半径が異なる２つの半円から構成され、矢印の方向に回動する。但し矢印の方向は逆方向でもよい。回動の過程で半径の大きい半円３０ｅが白色光の光束と交わる際に白色光の光束はロータリシャッタ３０ｃによって遮断される。一方、半径の小さい半円３０ｆは白色光の光束と交わらないので光透過領域が白色光の光束と交わることになり、白色光の光束はロータリシャッタ３０ｃによって遮断されない。
【００３５】
ロータリシャッタ３０ｃの回動周期は、撮像素子１１ｃの電荷蓄積が行われるフィールドの切り替えタイミングにあわせ、第１、第２フィールドが足し合わされた１フレームの時間（例えば１／３０秒）に合わされる。具体的には、白色光を被写体の生体組織に照射させたい間（第１フィールド）は、ロータリシャッタ３０ｃの小さい半円３０ｆがある部分の光透過領域が白色光の光束上を通過するようにロータリシャッタ３０ｃを回動させる。白色光の光束は小さい半円３０ｆのある部分では光が遮られないので、白色光がスコープ１０の先端の配光レンズ１２ａまで到達する。この間、第１光源部２６の第１〜第３レーザーダイオード２６１ａ〜２６１ｃは励起光を発しないように制御回路２４により消灯される。励起光を被写体の生体組織に照射させたい間（第２フィールド）は、ロータリシャッタ３０ｃの大きい半円３０ｅがある部分の光遮断領域が白色光の光束上を通過するようにロータリシャッタ３０ｃを回動させる。ランプ部２７ｂからの白色光は点灯されたままであるが、ロータリシャッタ３０ｃの大きい半円３０ｅがある部分で白色光の光束は遮られるため、白色光はスコープ１０の先端の配光レンズ１２ａまで到達しない。この間、第１光源部２６の第１〜第３レーザーダイオード２６１ａ〜２６１ｃは励起光を発するように制御回路２４により点灯され、励起光が配光レンズ１２ａまで到達する。
【００３６】
配光レンズ１２ａを介して白色光が生体組織に照射されると、生体組織で反射された反射光が対物レンズ１１ａ、励起光カットフィルタ１１ｂを介して撮像素子１１ｃで受光される。配光レンズ１２ａを介して励起光が生体組織に照射されると、生体組織で反射されたあるいは散乱した励起光と、励起された生体組織が発する自家蛍光の双方が対物レンズ１１ａに集光される。励起光よりも波長の長い自家蛍光は励起光カットフィルタ１１ｂを透過して撮像素子１１ｃで受光される。波長の短い励起光は励起光カットフィルタ１１ｂでカットされて撮像素子１１ｃで受光されない。
【００３７】
図５に、励起光の波長帯域と、カラー画像の波長帯域をグラフで示す。励起光は３７０ｎｍ前後の波長で帯域幅が短い。カラー画像は４００ｎｍ以上の波長で帯域幅が長い。励起光カットフィルタ１１ｂによってカットされない波長帯域は図５のカラー画像の波長帯域と同じである。
【００３８】
撮像素子１１ｃで受光した反射光による電気信号または自家蛍光による電気信号は、映像信号処理部２１で、モニタ４０で観察可能なビデオ信号に変換されモニタ４０に出力される。白色光と励起光が交互に照射される２画面モードの際には、映像信号処理部２１のスキャンコンバータ２１ｄで、白色光照射による反射光のカラー画像と、励起光照射による自家蛍光画像とが並べて表示されるように画像信号処理が更に行われる。図１のモニタ４０は、カラー画像と自家蛍光画像とが並べて表示されている状態を示している。
【００３９】
図６は、３つの画面モードにおける白色光と励起光の照射タイミングチャートを示す。
【００４０】
白色光照射によるカラー画像だけを表示させる１画面モードの場合（図６の（１））は、１フレームにおける第１、第２フィールドともにランプ部２７ｂが連続的に点灯され白色光が生体組織に照射される。この間、励起光を照射する第１光源部２６の第１〜第３レーザーダイオード２６１ａ〜２６１ｃは点灯されない。従って発光強度はレベルＬ０が維持される。ロータリシャッタ３０ｃは第２モータ３０ｂによって退避されているので、白色光の光束を遮断しない。
【００４１】
励起光照射による自家蛍光画像だけを表示させる１画面モードの場合（図６の（２））は、１フレームにおける第１、第２フィールドともに第１光源部２６の第１〜第３レーザーダイオード２６１ａ〜２６１ｃが連続的に点灯され励起光が生体組織に照射される。励起光は、第１〜第３レーザーダイオード２６１ａ〜２６１ｃが均一の発光強度で点灯するように第１〜第３センサ２６２ａ〜２６２ｃ、第１〜第３ドライバ２６３ａ〜２６３ｃ、第１〜第３加算器２６４ａ〜２６４ｃ、及び制御回路２４で調整された状態で発光される。励起光の最大発光強度は第１〜第３レーザーダイオード２６１ａ〜２６１ｃの定格出力と一致するレベルＬ１で保持される（図６の（４））またはそれ以下の値に調整される。この間、白色光を発するランプ部２７ｂは点灯されない。
【００４２】
白色光と励起光を交互に照射し反射光のカラー画像と自家蛍光画像の２画面表示を行う２画面モードの場合（図６の（３））は、１フレームの第１フィールド（Ｔ１１〜Ｔ１２、Ｔ１３〜Ｔ１４）においては白色光が生体組織に照射され、１フレームの第２フィールド（Ｔ１２〜Ｔ１３、Ｔ１４〜Ｔ１５）においては励起光が生体組織に照射される。具体的には、ランプ部２７ｂは第１、第２フィールドいずれにおいても点灯される。しかし、ロータリシャッタ３０ｃが第２モータ３０ｂによって白色光の光束に交わるように移動され、第１フィールドにおいては白色光の光束は遮断されず、第２フィールドにおいては白色光の光束が遮断されるように回動されるので、第１フィールドにおいてだけ白色光が生体組織に照射される。第１光源部２６の第１〜第３レーザーダイオード２６１ａ〜２６１ｃは、第１フィールドにおいては消灯され（レベルＬ０）、第２フィールドにおいて点灯される。従って、第２フィールドにおいては励起光が生体組織に照射される。励起光の最大発光強度は第１〜第３レーザーダイオード２６１ａ〜２６１ｃの定格出力より大きいレベルＬ２とレベルＬ１の間で調整される（図６の（５））。２画面表示の場合は、励起光だけを照射する場合のように第１光源部２６の第１〜第３レーザーダイオード２６１ａ〜２６１ｃを連続的に発光させるのではなく、フィールドごとに第１光源部２６の第１〜第３レーザーダイオード２６１ａ〜２６１ｃを消灯させるすなわち休ませる時間が設けられるので、第１〜第３レーザーダイオード２６１ａ〜２６１ｃを定格出力以上（定格の２倍程度）に発光させても寿命の問題はない。生体組織から発せられる蛍光強度は微弱なものであるが、これにより通常の励起光だけを照射する場合に比べて強い蛍光強度を発生させることが可能になる。
【００４３】
励起光の強度の調整は、映像信号処理部２１が撮像素子１１ｃから伝達された電気信号から自家蛍光画像の輝度情報を得、これを受けて制御回路２４が使用者の所望する輝度値に近づくように行われる。
【００４４】
なお、第１光源部２６の有する光源はレーザーダイオードに限らず、被写体である生体組織に照射すると蛍光を発するものであれば他でも代用できる。例えば他の発光素子によるレーザー光やＬＥＤ（発光ダイオード）などでもよい。
【００４５】
また、レーザーダイオードなどの発光素子の数を３つとして本実施形態は説明したが２以上の他の個数であってもよい。
【００４６】
また、ロータリシャッタ３０ｃの形状は半径の異なる半円の組み合わせには限定されない。図６のタイミングチャートの要件を満たすような形状であれば、同様の効果が得られるからである。例えば、小さい半円が無く大きい半円だけの形状などである。
【００４７】
また、生体組織に照射させる光の光源を白色光と励起光のいずれかに切り替える光源切り替えユニット部３０は、ロータリシャッタ３０ｃを用いるものとして説明したが、これはランプ部２７ｂのようにオンオフ信号により瞬時に点灯消灯が行えないものの場合に有効である。白色光の光源をＬＥＤなど瞬時の点灯消灯が行えるものであれば、ロータリシャッタ３０ｃを使用しなくてもよく、切り替えユニット部３０は、励起光を発する第１光源部２６と白色光を発するＬＥＤなどの光源とを交互にオンオフ切り替え制御ができる機能があればよい。
【図面の簡単な説明】
【００４８】
【図１】電子内視鏡装置の構成図を示す。
【図２】電子内視鏡装置の構成図で、映像信号処理部の詳細を示す。
【図３】第１光源部の有するレーザーユニットの構成を示す。
【図４】ロータリシャッタの平面図を示す。
【図５】励起光とカラー画像の波長帯域の違いを表すグラフを示す。
【図６】３つの画面モードにおける白色光と励起光の照射タイミングチャートを示す。
【符号の説明】
【００４９】
１０  電子スコープ
１１  撮像部
１２  照明部
２０  プロセッサ
２１  映像信号処理部
２２  タイミング部
２４  制御回路
２６  第１光源部
２６ａ  レーザーユニット
２６ｄ  励起光集光レンズ
２６０  ロッドレンズ
２６１ａ〜２６１ｃ  第１〜第３レーザーダイオード
２６２ａ〜２６２ｃ  第１〜第３センサ
２６３ａ〜２６３ｃ  第１〜第３ドライバ
２６４ａ〜２６４ｃ  第１〜第３加算器
２６５ａ〜２６５ｃ  第１〜第３励起光ライトガイド
２７  第２光源部
３０  光源切り替えユニット部
３０ｃ  ロータリシャッタ
４０  モニタ
【図１】
2005168828.tif 000003
【図２】
2005168828.tif 000004
【図３】
2005168828.tif 000005
【図４】
2005168828.tif 000006
【図５】
2005168828.tif 000007
【図６】
2005168828.tif 000008